(57)【要約】【課題】医療器材の準備作業を効率よく行わせるシステムを提供する。【解決手段】医療器材リスト生成部１１２は、オーダ情報に基づいて、医療行為で使用する医療器材リストの情報を生成する。準備状況受付部１１６は、医療器材リスト情報に含まれる医療器材の準備状況の入力を、補助者の携帯端末装置１００から受け付ける。通知部１５０は、準備状況を看護師の携帯端末装置１００に通知する。要求受付部１４８は、準備状況を通知された携帯端末装置１００から、医療器材リスト情報に対する医療器材の変更または追加の要求を受け付ける。通知部１１８は、要求受付部１４８により受け付けられた要求を補助者の携帯端末装置１００に通知する。【選択図】図２
2009064131.tif 000002
【特許請求の範囲】
【請求項１】
医療行為に関するオーダ情報を記憶する記憶部と、
前記オーダ情報に基づいて、医療行為で使用する医療器材リストの情報を生成する医療器材リスト生成部と、
前記医療器材リスト情報に含まれる医療器材の準備状況を受け付ける準備状況受付部と、
前記準備状況受付部により受け付けられた準備状況を所定の端末装置に通知する第１通知部と、
準備状況を通知された前記端末装置から、前記医療器材リスト情報に対する医療器材の変更または追加の要求を受け付ける要求受付部と、
前記要求受付部により受け付けられた要求を通知する第２通知部と、
を備えることを特徴とする医療行為支援システム。
【請求項２】
前記第２通知部は、前記準備状況受付部が受け付けた準備状況を入力した端末装置に、前記要求を通知することを特徴とする請求項１に記載の医療行為支援システム。
【請求項３】
前記オーダ情報に対する医療器材の変更または追加指示が発行されているか判定する判定部をさらに備え、
前記医療器材リスト生成部は、前記判定部により変更または追加指示が発行されていることが判定された場合に、前記医療器材リスト情報を更新し、
前記第１通知部は、更新された医療器材の準備状況と、更新されていない医療器材の準備状況とを区別できるように前記所定の端末装置に通知することを特徴とする請求項１または２に記載の医療行為支援システム。
【請求項４】
前記第１通知部は、前記判定部による判定結果を、準備状況とともに通知することを特徴とする請求項３に記載の医療行為支援システム。
【請求項５】
前記変更または追加の要求は、前記医療器材リスト情報に含まれる医療器材の少なくとも一部を別の医療器材に変更する要求を含むことを特徴とする請求項１から４のいずれかに記載の医療行為支援システム。
【請求項６】
前記変更または追加の要求は、医療器材の準備時の注意事項を含むことを特徴とする請求項１から５のいずれかに記載の医療行為支援システム。
【発明の詳細な説明】
【技術分野】
【０００１】
本発明は、医療行為支援システムに関し、特に、医療行為で使用される医療器具および薬剤などの医療器材の準備作業を補助するシステムに関する。
【背景技術】
【０００２】
従来、予定されている医療行為と、その医療行為に使用される医療器材を対応させて管理する医療行為管理システムが提案されている（たとえば、特許文献１参照）。医療行為と、医療器材との組合せを予め複数設定しておくことで、実施予定の医療行為に対して、使用する医療器材を対応付けることが可能となる。特許文献１に記載された医療行為管理システムでは、看護師が、実施予定の医療行為を特定するオーダ情報を表示する携帯端末装置を有し、これから実施する医療行為で使用する医療器材に付与された識別番号を読み取ると、携帯端末装置の表示部に、識別番号に対応した医療器材の名称が表示される。このように、特許文献１には、看護師が、検査室や手術室に既に運び込まれている医療器材を確認するための技術が開示されている。
【特許文献１】特開２００６−１７８９１９号公報
【発明の開示】
【発明が解決しようとする課題】
【０００３】
医療行為で使用する予定の医療器材は、医療行為の開始前に、補助者により準備され、検査室や手術室に用意される。本発明者は、特許文献１に開示されるような携帯端末装置を看護師だけでなく、補助者にも持たせることで、医療器材の準備作業を効率化できることに想到した。これにより、補助者は、携帯端末装置の画面に表示される医療器材のリストをみて、必要な医療器材を、医療材料庫から探し出し、検査室や手術室に運び込めるようになる。
【０００４】
このとき、オーダ情報が変更されたり、また医師が使用予定の医療器材とは異なる医療器材の使用を看護師に口頭で指示したような場合、追加または変更された医療器材についての情報が、補助者に伝わらない事態も発生する。このような場合、必要な医療器材が検査室等にて用意されないことになるため、医療行為の実施中または実施直前に、看護師が医療材料庫に不足した医療器材をとりにいく必要があり、二度手間になるという問題がある。
【０００５】
本発明はこうした課題に鑑みてなされたものであり、その目的は、医療器材の準備作業を効率よく行わせるシステムを提供することにある。
【課題を解決するための手段】
【０００６】
上記課題を解決するために、本発明のある態様の医療行為支援システムは、医療行為に関するオーダ情報を記憶する記憶部と、オーダ情報に基づいて、医療行為で使用する医療器材リストの情報を生成する医療器材リスト生成部と、医療器材リスト情報に含まれる医療器材の準備状況を受け付ける準備状況受付部と、準備状況受付部により受け付けられた準備状況を所定の端末装置に通知する第１通知部と、準備状況を通知された端末装置から、医療器材リスト情報に対する医療器材の変更または追加の要求を受け付ける要求受付部と、要求受付部により受け付けられた要求を通知する第２通知部とを備える。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、医療器材の準備作業を効率よく行わせるシステムを提供することができる。
【発明を実施するための最良の形態】
【０００９】
以下、図面を参照して本発明の実施の形態（以下、「実施形態」という。）について詳細に説明する。
【００１０】
図１は、実施形態に係る医療行為支援システムの模式的な全体構成図である。医療行為支援システム１０は、医療情報管理システム２０、補助者情報管理システム４０、複数の部門管理システム６０ａ、６０ｂ（以下、代表して「部門管理システム６０」と呼ぶ）を備える。医療行為支援システム１０は１つの医療機関に閉じたシステムとして構成され、医療情報管理システム２０、補助者情報管理システム４０および部門管理システム６０は、イントラネットなどのネットワーク８０によってデータを送受信可能に接続されている。病院内には、処置具や薬剤などの医療器材を集合的に保管する物品管理センタが設置され、補助者情報管理システム４０は、物品管理センタに設けられる。なお、医療行為支援システム１０は、複数の機関にまたがったシステムとして構成されてもよく、たとえば病院と、物品管理センタとが離れた位置に存在していてもよい。
【００１１】
医療情報管理システム２０は、患者に施す医療行為に関する情報である医療情報を管理する医療情報管理サーバ３０を備える。医療情報管理サーバ３０は、各部門管理システム６０において発行されるオーダ情報をデータベース化して管理してもよい。オーダ情報は、医師により患者ごとに発行される医療行為の内容を特定する情報である。医療情報管理サーバ３０は、補助者情報管理システム４０や部門管理システム６０を統括的に管理するサーバとして構成され、補助者情報管理システム４０および部門管理システム６０の間の情報の授受を中継してもよい。
【００１２】
補助者情報管理システム４０は、医師や看護師以外の医療従事者（以下、「補助者」とよぶ）の情報を管理する補助者情報管理サーバ５０を備える。補助者は携帯端末装置１００を保持して物品管理センタに常駐しており、補助者情報管理サーバ５０より送信される指示を受けて、医療行為に使用する医療器材を準備する。携帯端末装置１００は、補助者情報管理サーバ５０との間でデータを無線で送受信する機能を有する。携帯端末装置１００は、補助者情報管理サーバ５０から送信される医療器材リスト情報を受信すると、表示部に、用意するべき医療器材のリストを表示する。補助者は、そのリストを見ながら、物品管理センタで在庫を探し、トレイなどの容器にピッキングした医療器材を入れていく。医療行為が開始される前に、補助者は、ピッキングした医療器材を、要求部門に運び込む。
【００１３】
部門管理システム６０は、部門における情報を管理する部門管理サーバ７０を備える。部門管理システム６０は、手術室や検査室などの各部門に設置される。部門管理システム６０は主として医師および看護師により利用される。医師はオーダ情報を発行する。既述したように手術室や検査室には、補助者により医療器材が運び込まれ、看護師は携帯端末装置１００を保持して、医療器材の使用時に、医療器材に付与されている識別番号を読み取って、その医療行為に使用してよいものであるか確認する。
【００１４】
図２は、実施形態に係る医療行為支援システムの機能ブロック図である。医療行為支援システム１０において、医療情報管理サーバ３０、補助者情報管理サーバ５０、および部門管理サーバ７０は、各種演算処理を実行するＣＰＵ、各種制御プログラムを格納するＲＯＭ、データ格納やプログラム実行のためのワークエリアとして利用されるＲＡＭなどのハードウェア、およびソフトウェアの連携によって実現される機能ブロックとして描かれている。したがって、これらの機能ブロックはハードウェアおよびソフトウェアの組合せによって様々な形で実現することができる。
【００１５】
医療情報管理サーバ３０は、記憶部１０２および通信部１０４を備える。記憶部１０２は、部門管理サーバ７０から送信されるオーダ情報を含む医療情報を記憶する。医療情報には、患者の氏名、患者ＩＤ、検査の結果、担当医など、医師や看護師が患者に医療行為を施す上で必要とされる情報が含まれている。また医療情報には、患者の退院の予定の有無、および患者に退院の予定がある場合には退院予定日時を示す退院情報なども含まれている。通信部１０４は、ネットワーク８０を介して他のサーバやクライアント端末とデータを送受信する。
【００１６】
部門管理サーバ７０は、第１通信部１４０、オーダ発行部１４２、準備状況取得部１４４、表示画面生成部１４６、要求受付部１４８、通知部１５０および第２通信部１５２を備える。第１通信部１４０は、ネットワーク８０を介して医療情報管理サーバ３０の通信部１０４とデータを送受信する。なお第１通信部１４０は、ネットワーク８０を介して、他のサーバと直接データを送受信してもよい。第２通信部１５２は、無線により看護師が保持する携帯端末装置１００とデータを送受信する。
【００１７】
オーダ発行部１４２は、医師から医療行為の内容を特定する情報を入力されて、オーダ情報を発行する。オーダ情報は、患者の氏名、患者ＩＤに、実施を予定する検査内容や手術内容を対応付けて発行される。第１通信部１４０は、発行されたオーダ情報を医療情報管理サーバ３０の通信部１０４に送信し、医療情報管理サーバ３０は、オーダ情報を記憶部１０２に記憶する。なお第１通信部１４０は、オーダ情報を補助者情報管理サーバ５０に直接送信してもよい。
【００１８】
準備状況取得部１４４は、補助者が保持する携帯端末装置１００より補助者情報管理サーバ５０に送信された医療器材の準備状況を、補助者情報管理サーバ５０から取得する。表示画面生成部１４６は、取得した準備状況をもとに、部門管理システム６０で管理している看護師の携帯端末装置１００に表示させる画面を生成する。生成された表示画面データは、第２通信部１５２から、看護師の携帯端末装置１００に送信される。要求受付部１４８は、看護師の携帯端末装置１００から、準備する医療器材の変更または追加の要求を受け付ける。通知部１５０は、準備状況取得部１４４で取得した準備状況を、看護師の携帯端末装置１００に通知するべく、表示画面生成部１４６および第２通信部１５２を制御する。
【００１９】
補助者情報管理サーバ５０は、第１通信部１１０、医療器材リスト生成部１１２、表示画面生成部１１４、準備状況受付部１１６、通知部１１８、オーダ判定部１２０、記憶部１２２および第２通信部１２４を備える。第１通信部１１０は、ネットワーク８０を介して医療情報管理サーバ３０の通信部１０４とデータを送受信する。なお第１通信部１１０は、ネットワーク８０を介して、他のサーバと直接データを送受信してもよい。第２通信部１２４は、無線により補助者が保持する携帯端末装置１００とデータを送受信する。
【００２０】
第１通信部１１０が、医療情報管理サーバ３０の記憶部１０２に記憶されているオーダ情報を受信すると、記憶部１２２が、オーダ情報を記憶する。なお部門管理サーバ７０の第１通信部１４０からオーダ情報が直接送信されて、記憶部１２２が、そのオーダ情報を記憶してもよい。医療器材リスト生成部１１２は、取得したオーダ情報に基づいて、医療行為で使用する医療器材リストの情報を生成する。表示画面生成部１１４は、生成された医療器材リスト情報をもとに、補助者情報管理システム４０で管理している補助者の携帯端末装置１００に表示させる画面を生成する。生成された表示画面データは、第２通信部１２４から、補助者の携帯端末装置１００に送信される。
【００２１】
準備状況受付部１１６は、補助者の携帯端末装置１００から、医療器材リスト情報に含まれる医療器材の準備状況の入力を受け付ける。通知部１１８は、準備する医療器材の変更または追加の要求を、補助者の携帯端末装置１００に通知するべく、表示画面生成部１１４および第２通信部１２４を制御する。オーダ判定部１２０は、オーダ情報に対する医療器材の変更または追加の指示が発行されているか否かを判定する。
【００２２】
図３は、実施形態に係る携帯端末装置の機能ブロック図である。携帯端末装置１００は、通信部２００、入出力処理部２０２、表示部２０４、入力受付部２０６および読取部２０８を備える。通信部２００は、各サーバにおける第２通信部１２４や第２通信部１５２などの無線通信部とデータを無線で送受信する。
【００２３】
表示部２０４は、液晶パネルなどのディスプレイであり、サーバで生成された表示画面データを表示する。表示画面は、ＧＵＩ（Graphical User Interface）で構成され、看護師や補助者などのユーザは、タッチペンやタッチパネルなどの入力インタフェースを利用して、ＧＵＩ画面から所望の入力を行う。ユーザからの入力は、入力受付部２０６で受け付けられる。読取部２０８は、たとえば光学式リーダであり、医療器材に付与されている識別番号を読み取る機能をもつ。入出力処理部２０２は、サーバから受信した表示画面データを表示部２０４に供給し、また入力受付部２０６で受け付けられたユーザ入力や、読取部２０８で読み取られた識別番号を処理し、また通信部２００からサーバに送信させる機能をもつ。
【００２４】
図４は、医療行為支援システムにおける医療器材の準備支援フローを示す。まず、第１通信部１１０が、医療情報管理サーバ３０または部門管理サーバ７０よりオーダ情報を取得し（Ｓ１０）、記憶部１２２に格納する。医療器材リスト生成部１１２は、記憶部１２２に格納されたオーダ情報に基づいて、医療行為で使用する医療器材リストの情報を生成する（Ｓ１２）。
【００２５】
図５は、オーダ情報の一例を示す。オーダ情報には、患者を特定する患者情報と、実施予定の医療行為を特定する手術情報とが含まれる。手術情報には、手術の予定日時や、実施する術式などの情報が含まれる。なお、実施予定の医療行為が検査である場合は、オーダ情報に検査情報が含まれる。
【００２６】
図６は、術式と、使用器材との対応テーブルを示す。この対応テーブルは記憶部１２２に記憶されており、この対応テーブルでは、術式ごとに使用する医療器材が対応付けられて保持される。なお対応テーブルは、医療情報管理サーバ３０における記憶部１０２に記憶されていてもよい。医療器材リスト生成部１１２は、オーダ情報から術式を読み出し、読み出した術式に対応付けられている使用器材を対応テーブルから取得する。たとえば医療器材リスト生成部１１２は、図５に示すオーダ情報から術式「腹腔鏡下胆嚢摘出術」を読み出し、図６に示す対応テーブルから、「腹腔鏡下胆嚢摘出術」に対応付けられた「内視鏡下外科手術キットＡ」を読み出して、使用する医療器材を特定する。なお、「内視鏡下外科手術キットＡ」は、把持鉗子や剥離鉗子など複数の医療器材を含んでおり、それらの器材名は、キット名に対応付けられて記憶部１２２に記憶されていてもよい。
【００２７】
医療器材リスト生成部１１２は、これらの情報から、医療器材のリスト情報を生成する。表示画面生成部１１４は、医療器材リスト生成部１１２において生成された医療器材リスト情報を利用して、携帯端末装置１００に表示する画面データを生成する（Ｓ１４）。通知部１１８は、医療器材リスト情報を、補助者が保持する携帯端末装置１００に通知する（Ｓ１６）。具体的には、通知部１１８が、生成された表示画面データを、第２通信部１２４から、補助者が保持する携帯端末装置１００に送信させることで、医療器材リスト情報を補助者に通知する。携帯端末装置１００の通信部２００は、表示画面データを受信し、入出力処理部２０２は、表示画面データをもとに、表示部２０４に医療器材リストを表示させる（Ｓ１８）。
【００２８】
図７は、携帯端末装置の表示部に表示される医療器材リストを示す。医療器材リストには、用意する医療器材の名称と、その個数とが対応付けられて表示される。補助者は、表示部２０４に表示される医療器材リストを見ながら、物品管理センタで在庫を探し、トレイなどの容器にピッキングした医療器材を入れていく。医療器材には、識別番号が付与されており、補助者は、ピッキングした医療器材の識別番号を読取部２０８により読み取らせる。入出力処理部２０２は、読み取った識別番号の回数をカウントする。これにより、医療器材リストに含まれる各医療器材の準備状況が入力される（Ｓ２０）。入出力処理部２０２は、ピッキングした医療器材の個数が要求されている数字に到達すると、表示部２０４に、その医療器材の準備が完了したことを示すチェック印を表示させる。
【００２９】
図８は、医療器材の準備が完了したときにチェック印が表示された画面を示す。図示されるように、数量欄の右横には、チェック印が追加されている。このチェック印は、医療器材の準備状況を示し、具体的には、その医療器材の準備が完了したことを示す。補助者が登録ボタン２２０を押すと、医療器材の名称と、その準備状況を示す情報とが通信部２００から補助者情報管理サーバ５０の第２通信部１２４に送信される（Ｓ２２）。準備状況受付部１１６は、送信された準備状況の入力を受け付け（Ｓ２４）、部門管理サーバ７０に転送する（Ｓ２６）。準備状況取得部１４４が、転送された準備状況を取得すると、通知部１５０が、表示画面生成部１４６に、看護師が保持する携帯端末装置１００に表示する画面データを生成させる（Ｓ２８）。通知部１５０は、生成された表示画面データを、第２通信部１５２から、担当看護師が保持する携帯端末装置１００に送信させることで、準備状況を看護師に通知する（Ｓ３０）。
【００３０】
携帯端末装置１００の通信部２００が、第２通信部１５２から送信される表示画面データを受信する。入出力処理部２０２は、表示画面データをもとに、表示部２０４に準備状況を表示させる（Ｓ３２）。
【００３１】
図９は、看護師の携帯端末装置に表示される準備状況確認画面を示す。準備状況確認画面は、図８に示した画面と実質的に同一であってもよい。看護師は、画面を見て、問題がなければＯＫボタン２２２を押す。一方、看護師は、準備する医療器材に変更や追加があった場合には、変更・追加ボタン２２４を押して、医療器材リスト情報に対する医療器材の変更および／または追加の要求を行う。
【００３２】
図１０は、医療器材の変更・追加の要求画面を示す。看護師は、表示部２０４に表示される要求画面において、医療器材の変更または追加の要求を行う。たとえばこの要求画面では、医療器材リスト情報から変更または追加を要求する医療器材の名称と、変更または追加の数量とが対応付けて入力される（Ｓ３４）。
【００３３】
変更または追加要求は、医療器材リスト情報に含まれる医療器材の少なくとも一部を別の医療器材に変更する要求を含んでよい。たとえば、図１０に示されるように、把持鉗子をコッヘル鉗子に変更する要求であってもよい。変更または追加要求は、医療器材リスト情報に含まれる医療器材の個数を増やす要求であってもよく、また減らす要求であってもよい。さらに、変更または追加要求は、医療器材の準備時の注意事項を含んでもよい。これにより、看護師は、物品管理センタにいる補助者に対して、リアルタイムで準備作業についてのアドバイスを伝えることができる。看護師が、変更または追加要求の入力後、登録ボタン２２６を押すと、変更または追加要求が通信部２００から部門管理サーバ７０に送信される（Ｓ３６）。要求受付部１４８は、医療器材リスト情報に対する医療器材の変更または追加の要求を受け付けると（Ｓ３８）、第１通信部１４０が、その要求を補助者情報管理サーバ５０に転送する（Ｓ４０）。
【００３４】
第１通信部１１０が、変更・追加要求を受信すると、通知部１１８が、その変更・追加要求を、補助者が保持する携帯端末装置１００に通知する。具体的には、通知部１１８が、表示画面生成部１１４に、補助者が保持する携帯端末装置１００に表示する画面データを生成させる（Ｓ４２）。通知部１１８は、生成された表示画面データを、第２通信部１２４から、補助者が保持する携帯端末装置１００に送信させることで、医療器材リスト情報に対する医療器材の変更または追加の要求を補助者に通知する（Ｓ４４）。
【００３５】
携帯端末装置１００の通信部２００が、第２通信部１２４から送信される表示画面データを受信する。入出力処理部２０２は、表示画面データをもとに、表示部２０４に、準備するべき医療器材の変更または追加の要求を表示させる（Ｓ４６）。
【００３６】
図１１は、変更・追加の要求がされた医療器材のリスト表示画面を示す。補助者は、表示部２０４に表示された変更・追加リストを見て、医療器材をピッキングする。なお、数量欄において、数字の左に表示される「＋」は、その医療器材を数字分だけ追加することを意味し、「−」は、その医療器材を数字分だけ減らすことを意味する。補助者は、ピッキングした医療器材の識別番号を読取部２０８により読み取らせる。入出力処理部２０２は、読み取った識別番号の回数をカウントする。これにより、変更・追加リストに含まれる各医療器材の準備状況が入力される（Ｓ４８）。なお、トレイに入れた医療器材を元の保管場所に戻す場合には、読み取った識別番号の回数をカウント値から減らすための処理が実行される。たとえば、既に識別番号を読み取った医療器材については、再度識別番号を読み取ったときに、表示部２０４に、「この医療器材を棚に戻しますか？」というメッセージが表示され、補助者が同意した場合に、カウント値から減算するような処理が行われてもよい。
【００３７】
補助者が登録ボタン２２８を押すと、医療器材の名称と、その準備状況を示す情報とが通信部２００から補助者情報管理サーバ５０の第２通信部１２４に送信される（Ｓ５０）。準備状況受付部１１６は、送信された準備状況の入力を受け付け（Ｓ５２）、部門管理サーバ７０に転送する（Ｓ５４）。準備状況取得部１４４が、転送された準備状況を取得すると、通知部１５０が、表示画面生成部１４６に、看護師が保持する携帯端末装置１００に表示する画面データを生成させる（Ｓ５６）。通知部１５０は、生成された表示画面データを、第２通信部１５２から、担当看護師が保持する携帯端末装置１００に送信させることで、準備状況を看護師に通知する（Ｓ５８）。
【００３８】
携帯端末装置１００の通信部２００が、第２通信部１５２から送信される表示画面データを受信する。入出力処理部２０２は、表示画面データをもとに、表示部２０４に準備状況を表示させる（Ｓ６０）。
【００３９】
本実施形態における医療行為支援システム１０によると、予定されている医療行為において使用する医療器材に変更または追加が発生した場合であっても、看護師は、補助者の準備状況をリアルタイムで把握することができ、また、変更または追加の情報を補助者に瞬時に伝えることができる。これにより、医療器材の準備処理を効率化することができ、医療行為の実施時に必要な医療器材が揃ってないという事態を回避できる。
【００４０】
なお補助者情報管理サーバ５０は、オーダ情報に対する医療器材の変更または追加の指示が発行されているか否かを判断する機能を有してもよい。これにより、医療器材の変更または追加の要求を、補助者情報管理サーバ５０で自動処理することが可能となる。
【００４１】
補助者情報管理サーバ５０において、オーダ判定部１２０は、オーダ情報に対する医療器材の変更または追加指示が発行されているか判定する。医療器材リスト生成部１１２は、オーダ判定部１２０により変更または追加指示が発行されていることが判定された場合に、生成した医療器材リスト情報を更新する。
【００４２】
物品管理センタにいる補助者は、保持する携帯端末装置１００の表示部２０４に、準備するべき医療器材のリストを表示させて、医療器材のピッキング作業を行う。そのため、医療器材リスト情報が生成された時刻と、実際にピッキング作業を行っている時刻とでは、若干の時間差が存在する。この時間差の間にオーダ情報が変更されることもあり、またオーダ情報が変更されなくても、使用予定の医療器材に変更または追加の指示が発行されていることもありうる。そこでオーダ判定部１２０は、補助者の携帯端末装置１００から準備状況が送信されたタイミングで、オーダ情報に対する医療器材の変更または追加指示が発行されているか判定し、発行されている場合に、医療器材リスト生成部１１２が医療器材リスト情報を更新する。
【００４３】
通知部１１８は、更新された医療器材リスト情報を、補助者が保持する携帯端末装置１００に通知する。具体的には、通知部１１８が、表示画面生成部１１４に、携帯端末装置１００に表示する画面データを生成させる。通知部１１８は、生成された表示画面データを、第２通信部１２４から、携帯端末装置１００に送信させることで、更新された医療器材リスト情報を補助者に通知する。表示画面生成部１１４は、更新された医療器材の情報と、更新されていない医療器材の情報とを区別できるようなリスト表示画面を生成することが好ましい。補助者は、更新されたリスト表示画面を見て、ピッキング作業を行い、準備状況を入力する。既述したように、準備状況は、携帯端末装置１００から補助者情報管理サーバ５０を介して部門管理サーバ７０に送信される。
【００４４】
部門管理サーバ７０において、通知部１５０は、準備状況を看護師の携帯端末装置１００に通知する。このとき、通知部１５０は、表示画面生成部１４６に、更新された医療器材の準備状況と、更新されていない医療器材の準備状況とを区別できるように、看護師の携帯端末装置１００に表示する画面データを生成させる。これにより、看護師は、変更があった医療器材の準備状況と、変更されていない医療器材の準備状況とを区別して確認することが可能となる。このとき、表示画面には、オーダ判定部１２０による判定結果、すなわちオーダ情報が更新された旨を示す情報が含まれてもよい。これにより、看護師は、オーダ情報に変更があったことを容易に認識でき、それに伴って変更された医療器材の準備状況を容易に確認できるようになる。
【００４５】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。
【図面の簡単な説明】
【００４６】
【図１】実施形態に係る医療行為支援システムの模式的な全体構成図である。
【図２】実施形態に係る医療行為支援システムの機能ブロック図である。
【図３】実施形態に係る携帯端末装置の機能ブロック図である。
【図４】医療行為支援システムにおける医療器材の準備支援フローを示す図である。
【図５】オーダ情報の一例を示す図である。
【図６】術式と、使用器材との対応テーブルを示す図である。
【図７】携帯端末装置の表示部に表示される医療器材リストを示す図である。
【図８】医療器材の準備が完了したときにチェック印が表示された画面を示す図である。
【図９】看護師の携帯端末装置に表示される準備状況確認画面を示す図である。
【図１０】医療器材の変更・追加の要求画面を示す図である。
【図１１】変更・追加の要求がされた医療器材のリスト表示画面を示す図である。
【符号の説明】
【００４７】
１０・・・医療行為支援システム、２０・・・医療情報管理システム、３０・・・医療情報管理サーバ、４０・・・補助者情報管理システム、５０・・・補助者情報管理サーバ、６０・・・部門管理システム、７０・・・部門管理サーバ、８０・・・ネットワーク、１００・・・携帯端末装置、１０２・・・記憶部、１０４・・・通信部、１１０・・・第１通信部、１１２・・・医療器材リスト生成部、１１４・・・表示画面生成部、１１６・・・準備状況受付部、１１８・・・通知部、１２０・・・オーダ判定部、１２２・・・記憶部、１２４・・・第２通信部、１４０・・・第１通信部、１４２・・・オーダ発行部、１４４・・・準備状況取得部、１４６・・・表示画面生成部、１４８・・・要求受付部、１５０・・・通知部、１５２・・・第２通信部、２００・・・通信部、２０２・・・入出力処理部、２０４・・・表示部、２０６・・・入力受付部、２０８・・・読取部、２２０・・・登録ボタン、２２２・・・ＯＫボタン、２２４・・・変更・追加ボタン、２２６・・・登録ボタン、２２８・・・登録ボタン。
【図１】
2009064131.tif 000003
【図２】
2009064131.tif 000004
【図３】
2009064131.tif 000005
【図４】
2009064131.tif 000006
【図５】
2009064131.tif 000007
【図６】
2009064131.tif 000008
【図７】
2009064131.tif 000009
【図８】
2009064131.tif 000010
【図９】
2009064131.tif 000011
【図１０】
2009064131.tif 000012
【図１１】
2009064131.tif 000013